【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
遊技者によって回動操作されるハンドルリングを備え、そのハンドルリングの回動操作量に応じて遊技球の発射強度が調整される遊技機において、
前記ハンドルリングが回動可能に配設されると共に遊技機本体に対して変位可能とされるハンドルベースと、遊技機本体に固設されると共に前面側が開放して形成されるハンドル取付台と、前記ハンドルベースの背面から突設されると共に前記ハンドル取付台の前面側の開放部分から内部に挿通され、前記ハンドル取付台の内壁面に変位可能に軸支されることで、前記ハンドル取付台に対して前記ハンドルベースを変位可能に軸支するボス部材と、前記ハンドル取付台に対して軸支された部分を中心として第１位置と第２位置との間で変位可能とされる前記ハンドルベースの変位位置を第１位置へ復帰させる付勢力を前記ハンドルベースのボス部材に付与するベース付勢部材と、を備え、
前記ベース付勢部材は、前記ボス部材と前記ハンドル取付台の内壁面との間に介設されると共に中間部分がボス部材に架け渡されて配設され、
前記遊技機本体に対してハンドルベースが変位されることで、所定の動作が行われることを特徴とする遊技機。
【手続補正２】
【補正対象書類名】明細書
【補正対象項目名】０００６
【補正方法】変更
【補正の内容】
【０００６】
この目的を達成するために請求項１記載の遊技機は、遊技者によって回動操作されるハンドルリングを備え、そのハンドルリングの回動操作量に応じて遊技球の発射強度が調整される遊技機において、前記ハンドルリングが回動可能に配設されると共に遊技機本体に対して変位可能とされるハンドルベースと、遊技機本体に固設されると共に前面側が開放して形成されるハンドル取付台と、前記ハンドルベースの背面から突設されると共に前記ハンドル取付台の前面側の開放部分から内部に挿通され、前記ハンドル取付台の内壁面に変位可能に軸支されることで、前記ハンドル取付台に対して前記ハンドルベースを変位可能に軸支するボス部材と、前記ハンドル取付台に対して軸支された部分を中心として第１位置と第２位置との間で変位可能とされる前記ハンドルベースの変位位置を第１位置へ復帰させる付勢力を前記ハンドルベースのボス部材に付与するベース付勢部材と、を備え、前記ベース付勢部材は、前記ボス部材と前記ハンドル取付台の内壁面との間に介設されると共に中間部分がボス部材に架け渡されて配設され、前記遊技機本体に対してハンドルベースが変位されることで、所定の動作が行われる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項１記載の遊技機によれば、ハンドルベースにはハンドルリングが回動可能に配設され、そのハンドルリングが回動可能に配設されたハンドルベースが、遊技機本体に対して変位されることで、所定の動作が行われる。よって、かかる所定の動作を行うための操作（遊技機本体に対するハンドルベースの変位）を、ハンドルリングの回動操作量を維持しつつ、容易に行うことができる。
また、ハンドルベースが変位可能に配設されると共に遊技機本体に固設されるハンドル取付台を備えるので、ハンドルリング、ハンドルベース及びハンドル取付台を少なくとも備え、ハンドル取付台に対してハンドルベースが変位可能に構成された操作ハンドルをユニットとして組み立てることができる。よって、かかる操作ハンドルをユニットとして組み立てた上で、そのユニットを遊技機本体に組み付けることができるので、遊技機の製造の効率化を図ることができる。
さらに、ハンドルベースの背面から突設されるボス部材を備え、そのボス部材が、ハンドル取付台の内部に挿通され、ハンドル取付台の内壁面に軸支されるので、その軸支された部分を中心としてハンドル取付台に対してハンドルベースを変位させるための構造を、ハンドル取付台の内部に収容することができる。これにより、デッドスペースとなるハンドル取付台の内部空間を有効利用できるので、ハンドル取付台に対するハンドルベースの軸支された部分を中心とする変位を可能としつつ、その小型化を図ることができる。
また、第１位置に復帰させるためにハンドルベースのボス部材に付勢力を付与するベース付勢部材は、ボス部材とハンドル取付台の内壁面との間に介設されるので、かかるベース付勢部材をハンドル取付台の内部に収容することができる。これにより、デッドスペースとなるハンドル取付台の内部空間を有効利用できるので、ハンドル取付台に対するハンドルベースの軸支された部分を中心とする変位を可能としつつ、その小型化を図ることができる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】０３３１
【補正方法】変更
【補正の内容】
【０３３１】
遊技機Ａ１からＡ２７のいずれかにおいて、前記遊技機はパチンコ遊技機とスロットマシンとを融合させたものであることを特徴とする遊技機Ｂ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、ハンドルベースにハンドルリングが回動可能に取り付けられ、そのハンドルリングの回動操作量に応じて、球の発射強度を調整するものがある。また、ハンドルベースに、ハンドルリングとは別の操作子が配設され、その操作子を操作することで、所定の動作（例えば、球の発射の停止）を行うことができるものがある（例えば、特許文献１：特開２０１２−００５７５９号公報）。
ハンドルリングは、付勢ばねによる付勢力が付与されており、遊技者が手を離すと、ハンドルリングが初期位置へ復帰される。この場合、ハンドルリングの回動操作量を維持しつつ、操作子を操作することが困難である場合があった。
本技術的思想は、上記例示した問題点を解決するためになされたものであり、ハンドルリングの回動操作量を維持しつつ、他の操作が行いやすい遊技機を提供することを目的とする。
＜手段＞
この目的を達成するために、技術的思想１記載の遊技機は、遊技者によって回動操作されるハンドルリングを備え、そのハンドルリングの回動操作量に応じて遊技球の発射強度が調整されるものであり、前記ハンドルリングが回動可能に配設されると共に遊技機本体に対して変位可能とされるハンドルベースを備え、前記遊技機本体に対してハンドルベースが変位されることで、所定の動作が行われる。
技術的思想２記載の遊技機は、技術的思想１記載の遊技機において、前記ハンドルベースが変位可能に配設されると共に遊技機本体に固設されるハンドル取付台を備え、前記ハンドル取付台に対してハンドルベースが変位されることで、前記所定の動作が行われる。
技術的思想３記載の遊技機は、技術的思想２記載の遊技機において、前記ハンドルベースが前記ハンドル取付台に軸支され、その軸支された部分を中心として前記ハンドル取付台に対してハンドルベースが変位されることで、前記所定の動作が行われる。
＜効果＞
技術的思想１記載の遊技機によれば、ハンドルベースにはハンドルリングが回動可能に配設され、そのハンドルリングが回動可能に配設されたハンドルベースが、遊技機本体に対して変位されることで、所定の動作が行われる。よって、かかる所定の動作を行うための操作（遊技機本体に対するハンドルベースの変位）を、ハンドルリングの回動操作量を維持しつつ、容易に行うことができる。
なお、所定の動作としては、例えば、遊技球の発射の停止、遊技球の発射強度の変更（増加または減少）、ハンドルリングの初期位置への復帰の規制（ハンドルリングの回動の禁止または回動の抑制）などが例示される。
技術的思想２記載の遊技機によれば、技術的思想１記載の遊技機の奏する効果に加え、ハンドルベースが変位可能に配設されると共に遊技機本体に固設されるハンドル取付台を備えるので、ハンドルリング、ハンドルベース及びハンドル取付台を少なくとも備え、ハンドル取付台に対してハンドルベースが変位可能に構成された操作ハンドルをユニットとして組み立てることができる。よって、かかる操作ハンドルをユニットとして組み立てた上で、そのユニットを遊技機本体に組み付けることができるので、遊技機の製造の効率化を図ることができる。
技術的思想３記載の遊技機によれば、技術的思想２記載の遊技機の奏する効果に加え、ハンドルベースがハンドル取付台に軸支され、その軸支された部分を中心としてハンドル取付台（即ち、遊技機本体）に対してハンドルベースが変位されることで、所定の動作が行われるので、かかる所定の動作を行うための操作（軸支された部分を中心とする変位）を、ハンドルリングの回動操作量を維持しつつ、より容易に行うことができる。
例えば、所定の動作を行うための操作として、ハンドルベースをハンドル取付台に対して直線方向へスライド移動させる必要がある場合、操作者は、ハンドルリングを把持する手指および腕の全体を直線方向へスライド移動させなければならず、ハンドルリングの回動操作量を維持しつつ、かかるスライド移動を行うことが困難となる。これに対し、ハンドル取付台に対してハンドルベースを軸支された部分を中心として変位させる操作であれば、操作者は、手首を変位方向へ曲げる動作のみで行うことができるので、ハンドルリングの回動操作量を維持しつつ、ハンドル取付台に対するハンドルベースの軸支された部分を中心とする変位を容易に行うことができる。